(57)【要約】【課題】ＦＥＤに用いる表示パネルでは、電極に付着した残留ガスや電極の突起物等の影響により電界強度が変化して強電界となる部分で異常放電が起こり易くなる。この異常放電が、ドライブ回路へダメージを与える可能性がある。【解決手段】電子放出素子２０１をマトリックス状に配置した表示パネルにおいて、カソードパネル２１８とアノードパネルとの間には真空状態を保つ側壁２１７が設けられている。この側壁の外側に絶縁層を介して導電性部材１を配置する。この導電性部材をＧＮＤに接続して、バスライン２０２，２０３の引出部２５を交流的に低インピーダンスでＧＮＤへ結合させる。表示パネル内部で異常放電が生じた際には、この導電性部材を通して放電電流をＧＮＤへ流す。【選択図】図１
2007103105.tif 000002
【特許請求の範囲】
【請求項１】
複数本の走査電極配線群と、それらと交差する複数本のデータ電極配線群と、これら電極配線群の交差部に設けられた複数の電子放出素子とにより構成されるカソードパネルと、
前記カソードパネルと対向して、前記電子放出素子から放出される電子を蛍光体に照射して発光せしめるアノードパネルとが配置され、
前記カソードパネルとアノードパネルとこれらの間を真空状態に保つ側壁とを有する表示パネルを具備した画像表示装置において、
前記側壁の外側に、絶縁層を介して接地電位に接続する導電性部材を配置することを特徴とする画像表示装置
【請求項２】
前記導電性部材の複数の箇所を接地電位に接続することを特徴とする請求項１に記載の画像表示装置
【請求項３】
前記導電性部材は、走査電極配線群の引出部とデータ電極配線群の引出部の上側又は下側に配置され、前記絶縁層を誘電体とすることによって引出部が直流的に絶縁されることを特徴とする請求項１に記載の画像表示装置
【請求項４】
前記側壁の外周を取り囲むように導電性部材を配置することを特徴とする請求項１に記載の画像表示装置
【請求項５】
複数本の走査電極配線群と、それらと交差する複数本のデータ電極配線群と、これら電極配線群の交差部に設けられた複数の電子放出素子とにより構成されるカソードパネルと、
前記カソードパネルと対向して、前記電子放出素子から放出される電子を蛍光体に照射して発光せしめるアノードパネルとが配置され、
前記カソードパネルとアノードパネルとこれらの間を真空状態に保つ側壁とを有する表示パネルを具備した画像表示装置において、
前記側壁の外側に、磁性部材を配置することを特徴とする画像表示装置
【請求項６】
前記磁性部材は、フェライトシートであることを特徴とする請求項５に記載の画像表示装置
【請求項７】
前記磁性部材は、走査電極配線群の引出部とデータ電極配線群の引出部を覆うことを特徴とする請求項５に記載の画像表示装置
【請求項８】
複数本の走査電極配線群と、それらと交差する複数本のデータ電極配線群と、これら電極配線群の交差部に設けられた複数の電子放出素子とにより構成されるカソードパネルと、
前記カソードパネルと対向して、前記電子放出素子から放出される電子を蛍光体に照射して発光せしめるアノードパネルとが配置され、
前記カソードパネルとアノードパネルとこれらの間を真空状態に保つ側壁とを有する表示パネルを具備した画像表示装置において、
前記側壁の外側に、絶縁層を介して接地電位に接続する導電性部材と、この導電性部材に隣接して磁性部材とを配置することを特徴とする画像表示装置
【請求項９】
複数本の走査電極配線群と、それらと交差する複数本のデータ電極配線群と、これら電極配線群の交差部に設けられた複数の電子放出素子とにより構成されるカソードパネルと、
前記カソードパネルと対向して、前記電子放出素子から放出される電子を蛍光体に照射して発光せしめるアノードパネルとが配置され、
前記カソードパネルとアノードパネルとこれらの間を真空状態に保つ側壁とを有する表示パネルを具備し、
前記走査電極配線群とデータ電極配線群に接続される走査電極駆動手段とデータ電極駆動手段を具備した配線部材を備えた画像表示装置において、
前記側壁の外側に、絶縁層を介して接地電位に接続される導電性部材を配置し、
前記配線部材は、カソードパネルに駆動信号を供給する駆動信号配線層と接地電位に接続される接地電位配線層を有し、
前記接地電位配線層は、絶縁層を介して駆動信号配線層を覆い、導電性部材に接続されることを特徴とする画像表示装置
【請求項１０】
前記配線部材は、走査電極駆動手段を搭載する第１の配線部材とデータ電極駆動手段を搭載する第２の配線部材とからなることを特徴とする請求項９に記載の画像表示装置
【請求項１１】
前記走査電極配線群とデータ電極配線群の引出部が、複数のブロックに分けられ、各ブロックの引出部の配線間隔がカソードパネルの端部ほど狭くなっていることを特徴とする請求項９に記載の画像表示装置
【請求項１２】
前記引出部の両端に接地電位配線層を設け、この接地電位配線層と配線部材の接地電位配線層とを接続することを特徴とする請求項１１に記載の画像表示装置
【請求項１３】
複数本の走査電極配線群と、それらと交差する複数本のデータ電極配線群と、これら電極配線群の交差部に設けられた複数の電子放出素子とにより構成されるカソードパネルと、
前記カソードパネルと対向して、前記電子放出素子から放出される電子を蛍光体に照射して発光せしめるアノードパネルとが配置され、
前記カソードパネルとアノードパネルとこれらの間を真空状態に保つ側壁とを有する表示パネルを具備した画像表示装置において、
前記側壁を導電性部材とし、
前記側壁と電極配線群との間に、絶縁層と、この絶縁層を介して接地電位に接続する導電性部材とを配置することによって、放電電流の経路を形成することを特徴とする画像表示装置
【発明の詳細な説明】
【技術分野】
【０００１】
本発明は、特に、電子放出素子をマトリックス状に配置したマルチ電子源を用いる画像表示装置に関する。
【背景技術】
【０００２】
近年、互いに直交する電極群の交差部に電子源を設け、各電子源への印加電圧又は印加時間を調整することにより、電子源からの放出電子量を制御し、高電圧により放出電子を加速して蛍光体へ照射する自発光型のマトリックス方式ディスプレイが注目を集めている。
【０００３】
この種のディスプレイは、一般的に、フィールドエミッションディスプレイ（以下「ＦＥＤ」という。）と呼ばれており、用いられる電子放出素子として、電界放射型陰極を用いるもの、薄膜電子源を用いるもの、カーボナノチューブを用いるもの、表面伝導電子放出素子を用いるものなどがある。
【０００４】
ＦＥＤに用いる表示パネルは、大まかに、マトリックス状に配置された複数の電子放出素子とこれら電子放出素子を駆動するバスラインを設けたカソードパネルと、蛍光体が塗布されたアノードパネルとにより構成されている。
【０００５】
下記特許文献１には、このような表示パネルを用いた画像形成装置で放電が発生した場合にも、素子が劣化・破壊されたり、ガラスにクラックが発生して真空漏れを起こしたり、電気的耐圧が低下するなどの不都合に対処するために、真空容器の内壁面上に配置された導電性部材からグランドに電流を流すことが記載されている。
【０００６】
また、下記特許文献２には、下部電極と上部電極間に電圧を印加することにより、上部電極側から電子を放出する複数の薄膜型電子源を有する第１の基板と、枠部材と、蛍光体を有する第２の基板とを備え、第１の基板、枠部材及び第２の基板とで囲まれる空間が真空雰囲気とされる画像表示装置であって、第１の基板は、各薄膜型電子源の電子放出部以外の部分に設けられる第３の電極を有し、第３の電極に、任意の電圧を印加することによって、表示パネル内での放電を防止することが記載されている。
【特許文献１】特開平１０−３２１１６７号公報
【特許文献２】特開２００２−１６４００６号公報
【発明の開示】
【発明が解決しようとする課題】
【０００７】
このような異常放電を防止するものが、上記特許文献１，２に記載されているが、これらの特許文献では、いずれも真空雰囲気中に、新たな導電性部材や第３の電極を設け、これら導電性部材や第３の電極を外部の大気中に導き出し、接地電位に接続して、真空雰囲気中での異常放電を真空雰囲気中から大気中に引き出すものであった。
【０００８】
すなわち、異常放電を防止するために、真空雰囲気中に導電性部材や第３の電極を新たに設ける必要があり、新たに設けたこれらの部材や電極によって、新たな異常放電が発生する可能性がある。
【０００９】
そこで、本発明は、ＦＥＤのように高電圧を印加して電子を蛍光体に照射する表示パネルを用いた画像表示装置において、異常放電が発生した場合にも駆動回路を保護し、安価で信頼性が高い画像表示装置を提供することを目的とする。
【課題を解決するための手段】
【００１０】
本発明は、上記課題を解決するために、複数本の走査電極配線群とそれらと交差する複数本のデータ電極配線群とこれら電極配線群の交差部に設けられた複数の電子放出素子とにより構成されるカソードパネルと、前記カソードパネルと対向して前記電子放出素子から放出される電子を蛍光体に照射して発光せしめるアノードパネルとが配置され、前記カソードパネルとアノードパネルとこれらの間を真空状態に保つ側壁とを有する表示パネルを具備した画像表示装置において、前記側壁の外側に、絶縁層を介して接地電位に接続する導電性部材を配置することによって、真空状態に保たれた表示パネル内での異常放電に伴う電流が電極配線群を通して大気中に配置された導電性部材に流れることを特徴とする。
【００１１】
この接地電位に接続された導電性部材は、両電極配線群の引出部とは、絶縁層を介して配置されているので、交流的に低インピーダンスで接地電位へ結合される。そして、表示パネルに異常放電が生じた際には、この導電性部材を通して放電電流を接地電位へ流す。
【００１２】
また、両電極配線群は、配線部材（フレキシブルプリンテッドサーキット）を介して、走査電極駆動手段とデータ電極駆動手段に接続され、この配線部材には、駆動信号を供給する駆動信号配線層と、この駆動信号配線層とは絶縁層を介して、交流的に低インピーダンスで接地電位へ結合された接地電位配線層とが設けられている。そして、表示パネルに異常放電が生じた際には、この接地電位配線層を通して放電電流を接地電位へ流す。
【００１３】
さらに、側壁外側の両電極配線群の引出部に、磁性部材を配置し、両電極配線群の引出部のインピーダンスを大きくすることにより、表示パネルに異常放電が生じた際に、放電電流が走査電極駆動手段側とデータ電極駆動手段側へ流れ込むことを防止する。
【００１４】
また、側壁の外側に、導電性部材と、この導電性部材を取り囲むように磁性部材を配置することにより、表示パネル内での異常放電に対して、より高い効果が期待できる。
【発明の効果】
【００１５】
本発明によれば、ＦＥＤのように高電圧を印加して電子を蛍光体に照射する表示パネルを用いた画像表示装置において、表示パネル内で発生する異常放電に伴う駆動回路へのダメージを低減することができる。したがって、信頼性の高い画像表示装置が提供できる。
【００１６】
また、電子放出素子をマトリックス状に配置したマトリックス方式ディスプレイでは、ドライバ回路の有限インピーダンスに起因する輝度不均一を補正する技術が必要であって、このような有限インピーダンスの場合であっても本発明をマトリックス方式ディスプレイへ適用することにより、好適な映像表示を可能とする。
【００１７】
なお、本発明は、薄膜電子源を実施例として挙げるが、電界放射型陰極素子やカーボナノチューブ陰極素子等の他の陰極素子を用いた映像表示装置に対しても有効である。
【発明を実施するための最良の形態】
【００１８】
以下、図面を用いて、本発明の実施例を説明する。
【実施例１】
【００１９】
本発明に係る画像表示装置の実施例１について、以下に説明する。図１は、本実施例のアノードパネル側から見たカソードパネルの平面図である。図１において、１は導電性部材、２５はバスラインの引出部、２０１は電子放出素子、２０２はデータ電極配線群（以下「データバスライン」という。）、２０３は走査電極配線群（以下「走査バスライン」という。）、２０９はデータ電極駆動手段（以下「データ電極ドライブ回路」という。）、２１３は走査電極駆動手段（以下「走査電極ドライブ回路」という。）、２１７は側壁、２１８は電子放出素子２０１とデータバスライン２０２と走査バスライン２０３を搭載するためのカソードパネルである。なお、カソードパネル２１８はガラス等の絶縁性の高い部材にて構成する。
【００２０】
図１に示すデータバスライン２０２はその引出部２５を介してデータ電極ドライブ回路２０９に接続され、また、走査バスライン２０３はその引出部２５を介して走査電極ドライブ回路２１３に接続されている。この両バスラインの引出部２５は、真空雰囲気状態を保つ側壁２１７の外側の大気中にあって、この引出部２５の領域に導電性部材１を配置する。この導電性部材１は、複数の個所にて、図１では５箇所にて接地電位（以下「ＧＮＤ」という。）に接続されている。
【００２１】
図２は、図１に示すカソードパネル２１８の左側端部の拡大平面図である。さらに、図３(a)に図２に示すＡ−Ｂ線の断面図を、図３(b)に図２に示すＣ−Ｄ線の断面図を示す。なお、図３には、アノードパネル２２３の構造も併せて示している。このアノードパネルの２２３には、放出電子により励起される蛍光体２２４とその周囲を囲むコントラストを向上させるためのブラックマトリクス２２５が形成され、さらに、放出電子を加速する高電圧が印加されるメタルバック２２６が形成されている。
【００２２】
図２において、データバスライン２０２は最下層に配置され、下部電極を兼ねている。また、データバスライン２０２は絶縁層にて覆われ、この絶縁層の上部に、走査バスライン２０３を水平方向に配置する。走査バスライン２０３はコンタクト電極２１９を介して上部電極２２０へ接続されている。上部電極２２０が電子を放出する領域に相当する。また、走査バスライン２０３は側壁２１７の下部を通り、カソードパネル２１８の端部へ伸びる構造をとり、走査バスライン２０３の引出部２５を構成する。
【００２３】
図３(a)において、データバスライン２０２は絶縁層２２１にて覆われ、この絶縁層２２１の上部に走査バスライン２０３が配置されている。この走査バスライン２０３の引出部２５の上部に絶縁層３が設けられ、この絶縁層３の上部に導電性部材１を配置する。この絶縁層３の厚みを調整することで、走査バスライン２０３と導電性部材１の交流インピーダンスを低くすることができる。したがって、導電性部材１を図１に示すように、複数の箇所でＧＮＤに接続し、ＧＮＤと走査バスライン２０３とのインピーダンスを低くすることができる。なお、図３(b)においては、側壁２１７とカソードパネル２１８との間に、走査バスライン２０３の厚みに相当する段差を解消するための絶縁層２２２が設けてある。
【００２４】
本実施例において、走査バスライン２０３やコンタクト電極２１９への異常放電による放電電流は、走査バスライン２０２を流れ、低インピーダンスで結合した導電性部材１を通り、ＧＮＤへ流れ込むため、走査電極ドライブ回路２１３とデータ電極ドライブ回路２０９を破壊することがない。導電性部材１の材質としては低インピーダンスのものが望ましい。低インピーダンスの金属部材としては、例えば、ＡＬやＣｕ、及びその合金が有望であり、低コストでかつ低インピーダンスが実現できる。
【００２５】
導電性部材１に、幅Ｗ＝５ｍｍ、厚さ１０μｍのＡＬを適用し、ＧＮＤ接続点間の距離を１０ｃｍに設定した場合、ＧＮＤ接続点間の抵抗値は、ＡＬ比抵抗２．７５μΩ・ｃｍ3より０．０５５Ωと求まる。次に、走査バスライン２０３との結合容量を算出する。走査バスライン２０２の幅Ｗｓ＝０．３ｍｍ、であり、絶縁層３として厚みｄ＝１μｍのＡＬＯ3（比誘電率ε＝９．３４）を適用した場合、次式（１）を用いて、走査バスライン２０３と導電性部材１との容量値を求めると１２４ｐＦになる。
【数１】
2007103105.tif 000003
【００２６】
放電現象での波形立ち上がりは非常に鋭く、異常放電の周波数は１ＧＨｚと考えられ、走査バスライン２０３と導電性部材１により形成される容量値のインピーダンスは１．２８Ωと非常に低いインピーダンスになる。
【００２７】
ここで、走査電極ドライブ回路２１３における走査バスラインを選択するスイッチのオン抵抗は、スメアと呼ばれる輝度段差の抑制とＬＳＩのチップ面積を小さくするという観点から、１０Ω〜数十Ω程度に設計するのが望ましい。
【００２８】
図４に、図３の放電経路の等価回路を示す。図４において、放電現象がアノードパネル２２３と走査バスライン２０３の間にて発生した場合の放電経路が矢印にて示してある。走査バスライン２０３と導電性部材１との間の容量２２８（Ｃ１）によるインピーダンス（１．２８Ω）は、走査電極ドライブ回路の等価抵抗２２９（１０Ω〜数十Ω程度）と比較して、１／１０程度になっている。
【００２９】
このことは、放電電流が導電性部材１を介してＧＮＤへ流れることを意味しており、走査電極ドライブ回路２１３への放電電流の流れ込みを少なくすることができる。
【００３０】
また、図５及び図６(a)(b)に示すように、導電性部材１を走査バスライン２０３の取出部２５の下層部に絶縁層３を介してカソードパネル２１８に配置しても同様の効果を得ることができる。なお、図５及び図６(a)(b)の構成要素は図２及び図３(a)(b)と同じであり、説明は省略する。
【００３１】
本実施例によれば、電子放出素子をマトリックス状に配置したディスプレイにおいて、表示パネル内部で異常放電が生じた場合に、放電電流を側壁の外側に配置した導電性部材に流し、駆動回路への放電電流を減少させ、駆動回路のダメージを抑えることができる。さらに、導電性部材を側壁の外側に配置することでＧＮＤへの接続が容易に実現できる。よって、安価で信頼性が高い画像表示装置を提供できる。
【実施例２】
【００３２】
本発明に係る画像表示装置の実施例２について、図７及び図８を用いて以下に説明する。図７は、走査バスライン２０３の取出部２５とデータバスライン２０２の取出部２５が、カソードパネル２１８の上下左右の端部方向に引き出され、導電性部材１がこれらの取出部２５を覆うように、側壁２１７の外周を取り囲んで配置された画像表示装置の平面図である。
【００３３】
実施例１では、異常放電が発生した場合の放電電流の経路は、図１に示すように、走査電極ドライブ回路２１３側とデータ電極ドライブ回路２０９側に配置された導電性部材１のみであったが、本実施例では、側壁２１７の外周を取り囲むように導電性部材１を配置することで、放電電流が流れる経路のインピーダンスが低く抑えられ、ＧＮＤへの接続点を５箇所から８箇所と増やすことができる。したがって、放電箇所からＧＮＤまでのインピーダンスをさらに下げることができる。
【００３４】
図８は、データバスライン２０２と走査バスライン２０３を両端で駆動する２つのデータ電極ドライブ回路２０９と２つの走査電極ドライブ回路２１３を配置した画像表示装置の構成図である。図７と同様に、側壁２１７の外周を取り囲むように導電性部材１を配置して同様の効果を得る。
【００３５】
本実施例によれば、駆動回路への放電電流低減効果は実施例１に比べて高く、より信頼性が高い画像表示装置を提供できる。
【実施例３】
【００３６】
本発明に係る画像表示装置の実施例３について、図９〜図１２を用いて以下に説明する。図９は、カソードパネルとドライブ回路の構成図である。ドライブ回路は、配線部材としてのフレキシブルプリンテッドサーキット（以下「ＦＰＣ」という。）を用いてカソードパネルに接続される。すなわち、走査ドライブ回路は、図９左側の第１のＦＰＣに搭載され、データドライブ回路は、図９上側の第２のＦＰＣに搭載される。
【００３７】
図９において、１は導電性部材、２１ａ、２１ｂ、２１ｃ、２１ｄは、ＦＰＣの接地電位配線層（以下「ＧＮＤ配線層」という。）、２２ａ、２２ｂ、２２ｃ、２２ｄは、ドライバＬＳＩを搭載するためのフィルム状基板、２３ａと２３ｂは走査ドライバＬＳＩ、２３ｃと２３ｄはデータドライバＬＳＩ、２４ａ、２４ｂ、２４ｃ、２４ｄは、ドライバＬＳＩの出力駆動信号をカソードパネル２１８へ供給するためのＦＰＣの駆動信号配線層、２１７は側壁、２３１は電子放出素子がマトリックス状に配置された電子放出素子領域である。
【００３８】
バスラインの引出部２５ａ、２５ｂ、２５ｃ、２５ｄは、それぞれ走査ドライバＬＳＩ２３ａ、２３ｂ、データドライバＬＳＩ２３ｃ、２３ｄに対応してブロックに分けられている。これらのブロックにおいて、引出部２５(a,b,c,d)の形状をカソードパネルの端部に向かって絞り込んだ形状とする。このように、引出部の配線間隔をカソードパネルの端部ほど狭くすることによって、引出部の両端に余裕ができるので、この両端に、導電性部材１に接続する接続層（ＧＮＤ配線層２１(a,b,c,d)の一部）を設け、この接続層とＦＰＣの接続層（ＧＮＤ配線層２１(a,b,c,d)の一部）とを接続することが可能になる。
【００３９】
また、引出部２５(a,b,c,d)は、絶縁層を介して交流的に低インピーダンスで導電性部材１に結合する。この導電性部材１は、カソードパネルの接続層（ＧＮＤ配線層２１(a,b,c,d)の一部）とＦＰＣの接続層（ＧＮＤ配線層２１(a,b,c,d)の一部）を介して、ＦＰＣのＧＮＤ配線層２１(a,b,c,d)に接続される。このＧＮＤ配線層２１(a,b,c,d)はＦＰＣのＧＮＤに接続される。
【００４０】
図１０及び図１１は、ＦＰＣとカソードパネルとの接続部の拡大斜視図であって、ＦＰＣの駆動信号配線層２４(a,b,c,d)とカソードパネルの引出部２５(a,b,c,d)との接続は、駆動信号配線層２４(a,b,c,d)側の圧着接続面２８と引出部２５(a,b,c,d)側の圧着接続面３０とを圧着することにより行う。また、ＧＮＤ配線層２１(a,b,c,d)のＦＰＣ側の圧着接続面２９とＧＮＤ配線層２１(a,b,c,d)のカソードパネル側の圧着接続面３１とを圧着する。
【００４１】
図１０は、ＦＰＣの斜視図であって、２１(a,b,c,d)はＧＮＤへ接続されるＧＮＤ配線層、２２(a,b,c,d)はフィルム状基板、２３(a,b,c,d)はドライバＬＳＩ、２４(a,b,c,d)はドライバＬＳＩの出力信号をカソードパネルへ供給する駆動信号配線層、２７はＧＮＤ配線層２１と駆動信号配線層２４とを絶縁する絶縁層、２８は駆動信号配線層２４側の圧着接続面、２９はＧＮＤ配線層２１側の圧着接続面である。
【００４２】
図１１は、カソードパネルの斜視図であって、２１(a,b,c,d)は導電性部材に接続されるＧＮＤ配線層、２５(a,b,c,d)はバスラインの引出部、３０は引出部２５の圧着接続面、３１はＧＮＤ配線層２１の圧着接続面、２１８はカソードパネルである。
【００４３】
以上の構成により、図９に示すように、カソードパネル２１８側の側壁２１７の外側に設けた導電性部材１を、低インピーダンス経路にてＦＰＣ側のＧＮＤへ接続することができる。さらに、駆動信号配線層２４とＧＮＤ配線層２１とは絶縁層２７で広い範囲に亘って絶縁されているため、電子放出領域２３１からドライバＬＳＩ２３に至る経路の容量成分は実施例１に比べて大きくなる。
【００４４】
このように、容量成分が大きくなることによる効果を、図１２を用いて説明する。図１２は、放電箇所からドライバＬＳＩに至るまでの等価回路であり、放電現象が走査バスラインで発生した場合の放電経路を矢印で示してある。実施例１の図４と対比すると、走査バスライン２０３の引出部に、さらに容量２２８'（Ｃ２）が付加されるため、放電経路のインピーダンスを低く抑えることができる。したがって、表示パネル内部にて異常放電が生じた際に、ドライバＬＳＩへ流入する放電電流をＦＰＣ側において抑えることができる。
【００４５】
本実施例によれば、ドライバ回路への放電電流低減効果は実施例１に比べて高い。さらに、ＦＰＣを用いてＧＮＤへの接続が容易に実現できる。したがって、安価で信頼性が高い画像表示装置を提供できる。
【実施例４】
【００４６】
本発明に係る画像表示装置の実施例４について、図１３〜図１６を用いて以下に説明する。図１３は、カソードパネルの平面図であって、４がフェライトなどの磁性部材である。他の構成要素は図１と同じであり、同一符号を付け説明は省略する。磁性部材４はシート状であり、走査バスライン２０３とデータバスライン２０２の引出部の領域に面して配置する。
【００４７】
図１４は、図１３に示すカソードパネルの左端部の拡大平面図である。また、図１５は、図１４に示す走査バスライン２０３上のＡ−Ｂ線の断面図である。図１４及び図１５において、導電性部材１と走査バスライン２０３は、絶縁層３を介して交流的に低インピーダンスにて結合している。さらに、導電性部材１の外側（カソードパネルの端部方向）に磁性部材４が配置されている。この磁性部材４としては、ＭｎＺｎやＮｉＺｎ等を軟性のゴム又はプラスティック素材に混ぜ、シート状に成型したフェライトシートが適当である。この磁性部材４の作用により、走査バスライン２０３の引出部２５のインダクタンス成分が増加して、走査電極ドライブ回路へ流れ込む放電電流が減少する。
【００４８】
図１６は、放電箇所からのドライブ回路に至るまでの等価回路であり、走査バスラインに異常放電が発生した場合の放電電流の流れを矢印で示してある。放電波形の立ち上がりは非常に急峻であり、その周波数成分は１ＧＨｚに達すると考えられる。したがって、走査バスラインの等価抵抗２２７を通った放電電流は、導電性部材１と走査バスライン２０３との間の容量２２８（Ｃ１）を通り、ＧＮＤへ流れ込む。また、磁性部材４により形成されるバスラインの引出部のインダクタンス２３０（Ｌ）は、周波数成分１ＧＨｚにおいてハイインピーダンスを形成する。
【００４９】
各走査バスラインの周囲が全て磁性部材（フェライトシート）４で覆われた閉磁路での走査バスラインのインダクタンスは、次式（２）で与えられるが、実際には閉磁路ではないため、インダクタンス２３０（Ｌ）は、次式（２）の半分程度と考えられる。
【数２】
2007103105.tif 000004
【００５０】
ＮｉＺｎを素材としたフェライトシートの比透磁率μは２０程度であり、フェライトシートの幅ｌ＝５ｍｍとし、走査バスラインの幅Ｗ＝０．３ｍｍ、厚みｄ＝１０μｍを適用すると、そのインダクタンスは４０ｎＨであり、周波数１ＧＨｚにおいて、そのインピーダンスが２５０Ω程度となる。
【００５１】
走査電極ドライブ回路２１３のスイッチのオン抵抗は、スメアと呼ばれる輝度段差の抑制とＬＳＩのチップ面積を小さくするという観点から、１０Ω〜数十Ω程度に設計するのが望ましい。このオン抵抗に対して、インダクタンス２３０（Ｌ）は１０倍程度のインピーダンスを形成する。さらに、実施例１にて述べた条件において、走査バスライン２０３と導電性部材１により形成される容量値のインピーダンスは１．２８Ωのインピーダンスを形成し、放電電流のほとんどが導電性部材１を流れ、走査電極ドライブ回路への放電電流が抑制されることになる。
【００５２】
本実施例によれば、実施例１に比べてより高い放電電流低減効果を得られる。したがって、安価で信頼性が高い画像表示装置を提供できる。
【実施例５】
【００５３】
本発明に係る画像表示装置の実施例５について、図１７〜図１９を用いて以下に説明する。図１７は、カソードパネルの平面図であって、３２が導電性側壁である。他の構成要素は図１と同じであり、同一符号を付け説明は省略する。
【００５４】
本実施例では、導電性側壁３２の材料として、例えば、導電性部材１と同じＡＬ等を用いる。この導電性側壁３２の直下に導電性部材１を配置して、導電性部材１と導電性側壁３２を電気的に接合する。
【００５５】
図１８は、図１７に示すカソードパネルの左端部の拡大平面図であって、導電性部材１の上部に導電性側壁３２が搭載される。さらに、図１９(a)に図１８に示すＡ−Ｂ線の断面図を、図１９(b)に図１８に示すＣ−Ｄ線の断面図を示す。なお、アノードパネルの構造も併せて示しているが、アノードパネルの構成要素は図３に示すものと同じであり説明は省略する。
【００５６】
図１９(a)において、カソードパネル２１８側から順に、走査バスライン２０３、絶縁層３、導電性部材１を形成し、この導電性部材１の上部に導電性側壁３２が搭載される。したがって、異常放電が生じた際の放電電流は、導電性部材１と導電性側壁３２を伝播してＧＮＤへ流れ込む。なお、図１９(b)においては、走査バスライン２０３がない分その層厚分の絶縁層３の層厚が大きくなっている。
【００５７】
本実施例は、導電性側壁３２を放電電流経路として使うことができるため、実施例１に比べて、放電経路のインピーダンスをさらに低く抑えることができる。したがって、ドライブ回路への放電電流低減効果は実施例１に比べて高く、より信頼性が高い画像表示装置を提供できる。
【図面の簡単な説明】
【００５８】
【図１】実施例１におけるカソードパネルとドライブ回路の構成図
【図２】図１に示すカソードパネル端部の拡大図
【図３】図２に示すカソードパネル端部の断面図
【図４】実施例１における放電電流を説明する等価回路図
【図５】実施例１におけるカソードパネル端部の別の拡大図
【図６】図５に示すカソードパネル端部の断面図
【図７】実施例２におけるカソードパネルとドライブ回路の構成図
【図８】実施例２におけるカソードパネルとドライブ回路の他の構成図
【図９】実施例３におけるカソードパネルとＦＰＣを用いたドライブ回路の構成図
【図１０】図９に示すＦＰＣの斜視図
【図１１】図９に示すカソードパネル端部の斜視図
【図１２】実施例３における放電電流を説明する等価回路図
【図１３】実施例４におけるカソードパネルとドライブ回路の構成図
【図１４】図１３に示すカソードパネル端部の拡大図
【図１５】図１４に示すカソードパネル端部の断面図
【図１６】実施例４における放電電流を説明する等価回路図
【図１７】実施例５におけるカソードパネルとドライブ回路の構成図
【図１８】図１７に示すカソードパネル端部の拡大図
【図１９】図１８に示すカソードパネル端部の断面図
【符号の説明】
【００５９】
１…導電性部材、３…絶縁層、４…磁性部材、２１(a,b,c,d)…ＧＮＤ配線層、２２(a,b,c,d)…フィルム状基板、２３(a,b)…走査ドライバＬＳＩ、２３(c,d)…データドライバＬＳＩ、２４(a,b,c,d)…ＦＰＣの駆動信号配線層、２５(a,b,c,d)…バスラインの取出部、２７…絶縁層、２８，２９，３０，３１…圧着接続面、３２…導電性側壁、２０１…電子放出素子、２０２…データバスライン、２０３…走査バスライン、２０９…データ電極ドライブ回路、２１３…走査電極ドライブ回路、２１７…側壁、２１８…カソードパネル、２１９…コンタクト電極、２２０…上部電極、２２１，２２２…絶縁層、２２３…アノードパネル、２２４…蛍光体、２２５…ブラックマトリックス、２２６…メタルバック、２２７…走査バスラインの等価抵抗、２２８，２２８'…容量、２２９…走査電極ドライブ回路の等価抵抗、２３０…インダクタンス
【図１】
2007103105.tif 000005
【図２】
2007103105.tif 000006
【図３】
2007103105.tif 000007
【図４】
2007103105.tif 000008
【図５】
2007103105.tif 000009
【図６】
2007103105.tif 000010
【図７】
2007103105.tif 000011
【図８】
2007103105.tif 000012
【図９】
2007103105.tif 000013
【図１０】
2007103105.tif 000014
【図１１】
2007103105.tif 000015
【図１２】
2007103105.tif 000016
【図１３】
2007103105.tif 000017
【図１４】
2007103105.tif 000018
【図１５】
2007103105.tif 000019
【図１６】
2007103105.tif 000020
【図１７】
2007103105.tif 000021
【図１８】
2007103105.tif 000022
【図１９】
2007103105.tif 000023